(57)【要約】【課題】基準ブロックに生成水が滞留することに起因する燃料電池セルの検査出力の低下を抑止する。【解決手段】燃料電池セル１０と、燃料電池セル１０を間に挟み、該燃料電池セル１０の発電状況を検査する際に用いられる中間板２０と、燃料電池セル１０及び中間板２０の下側に配置され、これら燃料電池セル１０と中間板２０それぞれの位置決めをする基準ブロック３０と、を備える燃料電池セル１０の発電状況を検査する発電検査方法であって、基準ブロック３０に燃料電池セル１０及び中間板２０を当接させながら位置決めをし、位置決め後、燃料電池セル１０及び中間板２０を積層方向に押圧して締結し、締結後、基準ブロック３０を燃料電池セル１０及び中間板２０から退避させた後、発電検査を行う。【選択図】図１
2018129200.tif 000002
【特許請求の範囲】
【請求項１】
燃料電池セルと、
前記燃料電池セルを間に挟み、該燃料電池セルの発電状況を検査する際に用いられる中間板と、
前記燃料電池セル及び前記中間板の下側に配置され、これら前記燃料電池セルと前記中間板それぞれの位置決めをする基準ブロックと、
を備える燃料電池のセル発電状況を検査する発電検査方法であって、
前記基準ブロックに前記燃料電池セル及び前記中間板を当接させながら位置決めをし、
位置決め後、前記燃料電池セル及び前記中間板を積層方向に押圧して締結し、
締結後、前記基準ブロックを前記燃料電池セル及び前記中間板から退避させた後、発電検査を行う、燃料電池セルの発電検査方法。
【発明の詳細な説明】
【技術分野】
【０００１】
本発明は、燃料電池セルの発電検査方法に関する。
【背景技術】
【０００２】
燃料電池セルを間に挟み、該燃料電池セルの発電状況を検査する際に用いられる部材として中間板が利用されている。中間板を用いたセル発電の発電検査工程では、燃料電池セルのセット基準として、例えばＭＣナイロン（登録商標）といった絶縁性ブロックが使用されている。中間板としては、シャフトが貫通する部分と、単セルを挟む部分とが分離できるように固定されることによって形成されたものが知られている（例えば、特許文献１参照）。
【先行技術文献】
【特許文献】
【０００３】
【特許文献１】特開２０１４−０４１７０２号公報
【発明の概要】
【発明が解決しようとする課題】
【０００４】
しかし、前回の発電中に燃料電池にて生成された水がエアー排気（OUT）側のマニホールドからしたたり落ち（図３参照）、基準ブロックに滞留し（図４参照）、次回発電時、溜まった生成水を介して中間板どうしが短絡するおそれがある（図５参照）。そうした場合には、燃料電池セルの検査出力が低下してしまう。
【０００５】
そこで、本発明は、基準ブロックに生成水が滞留することに起因する燃料電池セルの検査出力の低下を抑止しうる燃料電池セルの発電検査方法を提供することを目的とする。
【課題を解決するための手段】
【０００６】
本発明の一態様に係る発電検査方法は、
燃料電池セルと、
燃料電池セルを間に挟み、該燃料電池セルの発電状況を検査する際に用いられる中間板と、
燃料電池セル及び中間板の下側に配置され、これら燃料電池セルと中間板それぞれの位置決めをする基準ブロックと、
を備える燃料電池のセル発電状況を検査する発電検査方法であって、
基準ブロックに燃料電池セル及び中間板を当接させながら位置決めをし、
位置決め後、燃料電池セル及び中間板を積層方向に押圧して締結し、
締結後、基準ブロックを燃料電池セル及び中間板から退避させた後、発電検査を行う、燃料電池セルの発電検査方法である。
【０００７】
上記発電検査方法によれば、生成水がしたたり落ちたとしても、基準ブロックを退避させているため、基準ブロック上に生成水が滞留することを回避することができる。したがって、水を介して中間板どうしが短絡するおそれがない。
【発明の効果】
【０００８】
本発明によれば、基準ブロックに生成水が滞留することに起因する燃料電池セルの検査出力の低下を抑止しうる。
【図面の簡単な説明】
【０００９】
【図１】基準ブロックによって位置決めされた状態の燃料電池セルと中間板を正面からみた図である。
【図２】（Ａ）位置決めブロックに当接した状態であって締結前における複数の中間板、（Ｂ）締結後の中間板を示す斜視図である。
【図３】生成水が基準ブロック上にしたたり落ちる様子について説明する、中間板を正面からみた図である。
【図４】基準ブロックの上に生成水が滞留する様子について説明する図である。
【図５】溜まった生成水を介して中間板どうしが短絡する様子について説明する図である。
【発明を実施するための形態】
【００１０】
添付図面を参照して、本発明の好適な実施形態について説明する。なお、各図において、同一の符号を付したものは、同一又は同様の構成を有する。
【００１１】
図１に、基準ブロックによって位置決めされた状態の燃料電池セルと中間板を正面からみた図を示し、図２に、複数の中間板の締結前における状態と締結後の状態の図を示す。
【００１２】
燃料電池セル１０は、複数が積層され、積層方向に締結されてセルスタックを構成する。各燃料電池セル１０は、中間板２０で挟持された状態で締結される。燃料電池セル１０の設置状態で下部となる部分（縁部）は、基準ブロックに当接することで当該燃料電池セル１０を位置決めするように形成されていてもよい（図３参照）。
【００１３】
中間板２０は、燃料電池セルを１枚ずつ間に挟んでこれら複数の燃料電池セル１０を保持する部材である（図２等参照）。また、中間板２０は、燃料電池セル１０の発電状況を検査する際にも用いられる。中間板２０の設置状態で下部となる部分には、位置決め用の凹部２１が形成されている。
【００１４】
中間板２０の位置決め用の凹部２１は、例えば中間板２０の底部の２箇所に形成された溝によって構成されている（図２等参照）。これら凹部２１に基準ブロック（位置決めブロック）３０に宛がうことで、各中間板２は所定の位置に位置決めされる。
【００１５】
基準ブロック３０は、燃料電池セル１０及び中間板２０の下側に配置され、これら燃料電池セルと中間板それぞれの位置決めをする（図２等参照）。基準ブロック３０は、例えば、平行に配置される一対の細長形状のブロックなどで構成される。なお、燃料電池セル１０及び中間板２０の側部には、必要に応じて別の基準ブロックが設けられる（図１参照）。
【００１６】
これら基準ブロック３０等を締結する際は、まず、基準ブロック３０の上に複数の中間板２０を、間隔を空けた状態で配置する。このとき、凹部２１内に基準ブロック３０が位置するように配置することで、各中間板２０が所定の位置に位置決めされる（図２参照）。
【００１７】
その後、隣接する中間板２０と中間板２０の間に燃料電池セル（図２においては図示を省略）１０を１枚ずつ挿入し（図２（Ａ）参照）、これら積層された中間板２０と燃料電池セル１０を積層方向に押圧して締結する。締結の際、中間板２０（および燃料電池セル１０）を基準ブロック３０上で摺動させることで、これら中間板２０（および燃料電池セル１０）を位置決めしたまま締結することができる（図２（Ｂ）参照）。
【００１８】
中間板２０と燃料電池セル１０を締結した後、基準ブロック３０を下方へ退避させる（図２（Ｂ）参照）。
【００１９】
燃料電池の発電検査を実施する際には、上述のように基準ブロック３０を退避させた後で実施することとする。こうした場合には、発電による燃料電池の生成水がしたたり落ちたとしても、既に基準ブロック３０を退避させているため、基準ブロック３０上に生成水が滞留するという事態を回避することができる。したがって、水を介して中間板２０どうしが短絡するおそれがない。これによれば、基準ブロック３０に生成水が滞留することに起因する燃料電池セル１０の検査出力の低下を抑止することができる。
【００２０】
また、上述のごとき構成とすることで、
・セット基準を金属材に変更することが可能
・基準ブロック３０を、中間板２０の組み付け用のセット基準としても使用可能（セット基準に中間板２０を当てて組み付けることができる）
といった利点もある。
【００２１】
以上説明した実施形態は、本発明の理解を容易にするためのものであり、本発明を限定して解釈するためのものではない。実施形態が備える各要素並びにその配置、材料、条件、形状およびサイズ等は、例示したものに限定されるわけではなく適宜変更することができる。また、異なる実施形態で示した構成同士を部分的に置換し又は組み合わせることが可能である。
【産業上の利用可能性】
【００２２】
本発明は、燃料電池システムに適用して好適である。
【符号の説明】
【００２３】
１０…燃料電池セル、２０…中間板、２１…位置決め用の凹部、３０…基準ブロック
【図１】
2018129200.tif 000003
【図２】
2018129200.tif 000004
【図３】
2018129200.tif 000005
【図４】
2018129200.tif 000006
【図５】
2018129200.tif 000007